(57)【要約】【課題】  点滴終了時刻を導くために用いられる点滴開始時刻と実際の点滴開始時刻との間のずれを抑制することで、より正確に点滴終了時刻を導くことができるようにする。【解決手段】  携帯情報端末１によって患者の識別情報を読み取った時点からタイマー２３による計時を開始し、点滴終了時間になる所定時間前に点滴が終了することを示す情報と点滴が実施された患者の情報とを含む点滴終了信号を生成して、患者の担当者や患者の認証を行った医療従事者が持つ携帯端末８に送信するようにしている。携帯端末８は、点滴終了信号を受信すると、点滴が終了しそうであることを報知するようにしている。これにより、ある患者に対して点滴を実施する際に、その患者の認証を行った時刻が点滴開始時刻とされるので、オーダデータから抽出された点滴開始時刻と比較して実際の点滴開始時刻とのずれが少なくる。【選択図】  図２
2009131379.tif 000002
【特許請求の範囲】
【請求項１】
点滴を実施予定の患者の識別情報を読み取る識別情報入力部と、
前記点滴の種類を示す点滴情報、前記点滴を受けるべき患者を示す実施患者情報、前記点滴の時間を示す点滴時間情報を入力する情報入力部と、
前記識別情報入力部に入力された前記識別情報により特定される前記患者および前記情報入力部に入力された実施患者情報により特定される前記点滴を受けるべき患者が一致するか否かを判定する判定部と、
時間を計測するタイマーと、
前記患者および前記点滴を受けるべき患者が一致すると前記判定部により判定された場合に、前記識別情報入力部により前記識別情報が読み取られた時点で前記タイマーによる計時を開始し、前記タイマーにより計測された時間の情報と前記情報入力部に入力された前記点滴時間情報とを比較して、前記タイマーにより計測された時間が前記点滴時間情報により特定される時間になる所定時間前になったときに、前記識別情報および／または前記実施患者情報と前記点滴が終了すること示す情報とを含む点滴終了信号を生成する制御部と、
前記制御部により生成された前記点滴終了信号を入力し、前記点滴終了信号によって特定された前記患者を担当する医療従事者および／または前記識別情報入力部によって前記患者の識別情報を読み取った医療従事者により携行される携帯端末に対して前記点滴終了信号を送信する送信部と、
前記点滴終了信号を受信した場合に、前記点滴が終了しそうであることを前記点滴終了信号によって特定された前記患者の情報とともに報知する携帯端末と、
を備えたナースコールシステム。
【請求項２】
点滴を実施予定の患者の識別情報を読み取る識別情報入力部と、
前記点滴の実施開始時に前記点滴が実施されたことを示す点滴実施記録情報を入力する点滴実施記録入力部と、
前記点滴の種類を示す点滴情報、前記点滴を受けるべき患者を示す実施患者情報、前記点滴の時間を示す点滴時間情報を入力する情報入力部と、
前記識別情報入力部に入力された前記識別情報により特定される前記患者および前記情報入力部に入力された実施患者情報により特定される前記点滴を受けるべき患者が一致するか否かを判定する判定部と、
時間を計測するタイマーと、
前記患者および前記点滴を受けるべき患者が一致すると前記判定部により判定された場合に、前記点滴実施記録入力部により前記点滴実施記録情報が入力された時点で前記タイマーによる計時を開始し、前記タイマーにより計測された時間の情報と前記情報入力部に入力された前記点滴時間情報とを比較して、前記タイマーにより計測された時間が前記点滴時間情報により特定される時間になる所定時間前になったときに、前記識別情報および／または前記実施患者情報と前記点滴が終了すること示す情報とを含む点滴終了信号を生成する制御部と、
前記制御部により生成された前記点滴終了信号を入力し、前記点滴終了信号によって特定された前記患者を担当する医療従事者および／または前記識別情報入力部によって前記患者の識別情報を読み取った医療従事者により携行される携帯端末に対して前記点滴終了信号を送信する送信部と、
前記点滴終了信号を受信した場合に、前記点滴が終了しそうであることを前記点滴終了信号によって特定された前記患者の情報とともに報知する携帯端末と、
を備えたナースコールシステム。
【請求項３】
前記点滴実施記録入力部による前記点滴実施記録情報の入力が前記点滴の実施開始後である場合に、
前記所定時間を調整するための時間を計測する補助タイマーを備え、
前記制御部は、前記識別情報入力部により前記識別情報が読み取られた時に前記補助タイマーによる計時を開始し、前記点滴実施記録入力部により前記点滴実施記録情報が入力された時に前記補助タイマーにより計時された時間の略半分の時間だけ前記所定時間を早めることを特徴とする請求項２に記載のナースコールシステム。
【発明の詳細な説明】
【技術分野】
【０００１】
本発明は、ナースコールシステムに関し、特に、患者に対して実施中の点滴が終了しそうであることを報知するナースコールシステムに関する。
【背景技術】
【０００２】
一般に、病院や介護施設などでは、ナースコールシステムが用いられている。ナースコールシステムは、病院の患者が看護師のサポートを必要とする際、または、介護施設の被介護者が介護師のサポートを必要とする際に、患者や被介護者（以下、単に患者と記載する）が呼び出しボタンなどを押下することによって看護師や介護師（以下、医療従事者と記載する）を呼び出すことができるように成されたシステムである。
【０００３】
多くのナースコールシステムは、ベッドサイドなどに設置されるナースコール子機と、医療従事者が常駐するナースセンタなどに設置されるナースコール親機と、病室等の各部屋の出入口付近に設置する廊下灯と、通話やデータの送受信に関する制御を行う制御機とを備えて構成されている。また、医療従事者が携帯するＰＨＳ（Personal Handyphone System）端末とＰＢＸ（Private Branch Exchange：電話交換機）とを組み合わせて、移動中の医療従事者がＰＨＳによって呼び出しに応答するナースコールシステムも提供されている。
【０００４】
ナースコール親機には、ＬＥＤ（Light-Emitting Diode）などのランプと患者名とを関連付けて表示パネルに表示するボード型のものがある。このボード型のナースコール親機では、患者からの呼び出しが発生すると、医療従事者は、その患者に対応するランプを点灯（または点滅）させて呼び出しを行った患者を視認することができるようにしている。また、ナースコール親機には、パソコンを利用したものもある。このパソコンを利用したナースコール親機では、実際のベッドの配置と同じようにディスプレイ上にレイアウト表示を行い、レイアウト上に患者名を表示する。そして、このようなナースコール親機は、患者からの呼び出しが行われたときに、その患者に対応する部分を強調して表示（例えば、ポップアップ表示など）することにより、どの患者が呼び出しを行ったかを医療従事者が視認することができるようにしている。
【０００５】
ナースコール子機は、患者毎に設置されており、患者が医療従事者を呼び出すための操作部を備えている。ここで、ナースコール子機は、患者の手元に置かれ、操作部を備える操作ユニットと、有線や無線などにより操作ユニットを接続する壁面に設置されたウォールユニットとにより構成される。
【０００６】
ところで、医療従事者が患者に対して点滴を実施する場合に、医療従事者が点滴の終了まで患者に付きっ切りで居ることは、業務効率などの点から好ましくない。そのため、医療従事者が他の場所に居ながら点滴の終了を確認できることが望まれている。このような要望に応えるために、ナースコール子機の操作ユニットに点滴の終了を通知するための点滴ボタンを設ける技術が知られている。
【０００７】
ところが、点滴の終了を患者によって判断させて点滴ボタンを押させることは、患者に過度の負担を強いることになってしまう。そのため、主に医師によって入力されるオーダデータから点滴開始時刻を抽出して点滴終了時刻を予測し、点滴終了時刻の一定時間前になった時点で点滴終了メッセージを表示するナースコールシステムが知られている（例えば、特許文献１など）。
【特許文献１】特開２００５−２３７６６６号公報
【０００８】
しかしながら、前述した特許文献１に記載のナースコールシステムでは、点滴開始時刻を抽出するためのオーダデータは、あくまでも予定を示すデータであるため、抽出される点滴開始時刻と実際の点滴開始時刻との間で大幅なずれが生じてしまうという問題があった。また、オーダデータとして入力される点滴開始時刻は予定時刻であるため、分単位の詳細な時刻が入力されることは稀であり、実際には１０分単位や３０分単位などの切りの良い時刻が入力されることが多く、抽出される点滴開始時刻と実際の点滴開始時刻との間で更なるずれが生じてしまうという問題があった。
【発明の開示】
【発明が解決しようとする課題】
【０００９】
本発明は、このような問題を解決するために成されたものであり、点滴終了時刻を導くために用いられる点滴開始時刻と実際の点滴開始時刻との間のずれを抑制することで、より正確に点滴終了時刻を導くことができるようにすることを目的とする。
【課題を解決するための手段】
【００１０】
上述した課題を解決するために、本発明では、患者に対して点滴を実施する際に、ナースコール親機は、患者が認証された時点からタイマーによる計時を開始し、点滴終了する所定時間前に点滴が終了することを示す情報と点滴が実施された患者の情報とを含む点滴終了信号を生成して、患者の担当者や患者の認証を行った医療従事者が持つ携帯端末に送信するようにしている。一方、携帯端末は、点滴終了信号を受信すると、点滴が終了しそうであることを報知するようにしている。
【００１１】
また、本発明の他の態様によれば、患者に対する点滴の実施が点滴実施記録として入力されると、ナースコール親機は、点滴実施記録が入力された時点でタイマーによる計時を開始し、点滴終了する所定時間前に点滴が終了することを示す情報と点滴が実施された患者の情報とを含む点滴終了信号を生成する。そして、ナースコール親機は、患者の担当者や点滴実施記録を入力した医療従事者が持つ携帯端末に点滴終了信号を送信するようにしている。一方、携帯端末は、点滴終了信号を受信すると、点滴が終了しそうであることを報知するようにしている。
【００１２】
また、本発明の他の態様によれば、点滴実施記録の入力が点滴の実施開始後である場合に、患者が認証された時点と点滴実施記録が入力された時点との間の時点からタイマーによる計時を開始するようにしている。
【発明の効果】
【００１３】
上記のように構成した本発明によれば、ある患者に対して点滴を実施する際に、その患者が点滴を行うべき患者であるかどうかを確認するための患者の認証を行った時刻が点滴開始時刻とされるので、オーダデータから抽出された点滴開始時刻と比較して実際の点滴開始時刻とのずれが少なくなり、より正確に点滴終了時刻を導くことができるようになる。従って、医療従事者が点滴の実施により拘束される時間を短縮することができ、医療従事者の業務効率を向上させることができる。
【００１４】
また、本発明の他の態様によれば、患者に対して点滴を実施したことを示す点滴実施記録が入力された時刻が点滴開始時刻とされる。この点滴実施記録の入力は、患者の認証の実施後に行われることが多いため、実際の点滴開始時刻とのずれをより少なくすることができる。
【００１５】
また、本発明の他の態様によれば、実際に点滴が開始される前に実施される患者の認証と、実際に点滴が開始された後に実施される点滴実施記録の入力との間の時刻が点滴開始時刻となるので、実際の点滴開始時刻とのずれを更に少なくすることができる。
【発明を実施するための最良の形態】
【００１６】
以下、本発明の一実施形態を図面に基づいて説明する。図１は、本実施形態によるナースコールシステムを含む院内システムの構成例を示す図である。図１に示すように、本実施形態によるナースコールシステムを含む院内システムは、携帯情報端末（Personal Digital Assistant）１、携帯情報端末用アクセスポイント２、携帯情報端末用サーバシステム３、ナースコール親機４、オーダシステム５、携帯端末用主装置６、携帯端末用アクセスポイント７、携帯端末８を備えて構成されている。
【００１７】
また、図２は、本実施形態によるナースコールシステムの主要な構成を示すブロック図である。図２に示すように、携帯情報端末１は、携帯情報端末用制御部１０、携帯情報端末用送受信部１１、情報入力部１２、識別情報入力部１３、判定部１４、点滴実施記録入力部１５を備えて構成されている。また、ナースコール親機４は、親機用制御部２０、親機用送受信部２１、記憶部２２、タイマー２３を備えて構成されている。また、携帯端末８は、携帯端末用制御部３０、携帯端末用送受信部３１、報知部３２、操作部３３を備えて構成されている。
【００１８】
携帯情報端末１は、医療従事者により携行され、ベッドサイドなどの患者の近傍で患者情報を入力するための機器である。携帯情報端末用制御部１０は、携帯情報端末１の構成要素を後述するように制御する。携帯情報端末用送受信部１１は、携帯情報端末１から携帯情報端末用アクセスポイント２へ各種情報を送信するとともに、携帯情報端末用アクセスポイント２から各種情報を受信する。
【００１９】
情報入力部１２は、携帯情報端末用アクセスポイント２を介して携帯情報端末用サーバシステム３から、点滴を受けるべき患者を示す実施患者情報、点滴の種類を示す点滴情報、点滴の時間（総時間）を示す点滴時間情報を入力するためのものである。ここで、これらの情報は、オーダシステム５にて医師により入力されることが多い。オーダシステム５にて入力された情報は、携帯情報端末用送受信部１１により受信され、情報入力部１２に入力される。なお、点滴時間情報が医師によって入力されなかった場合には、点滴の輸液量、点滴１ｍｌあたりの流量（滴下数）、１分あたりの滴下数に基づいて医療従事者が計算により求めた点滴時間を医療従事者自身が図示しないインターフェース（例えば、タッチパネルや操作キーなど）によって情報入力１２へ入力するようにしても良い。また、この計算に用いられる各値を医療従事者が入力し、携帯情報端末１が計算を行うようにしても良い。また、その他の患者情報を情報入力部１２へ入力するようにしても良い。その他の患者情報としては、患者の生体情報などを示すバイタル情報などがある。
【００２０】
識別情報入力部１３は、バーコードリーダなどにより構成されており、患者の手首に巻かれているリストバンド上のバーコードや点滴の袋に貼り付けられているバーコードを読み取る。ここで、リストバンド上のバーコードは、患者の識別情報を示す。また、点滴の袋に貼り付けられているバーコードは、点滴の種類を示す。なお、バーコードの代わりにＱＲコードなどの識別情報を用いるようにしても良い。
【００２１】
判定部１４は、識別情報入力部１３に入力した患者の識別情報と情報入力部１２に入力した実施患者情報とを比較し、患者の識別情報により特定される患者と実施患者情報により特定される患者とが一致するか否かを判定する。これにより、医療従事者が点滴を実施しようとしている患者が点滴を受けるべき患者であるか否かが確認され、患者の取り違えなどの医療ミスを防止することができる。同様に、判定部１４は、識別情報入力部１３に入力した点滴の種類と情報入力部１２に入力した点滴の種類とを比較し、両者が一致するか否かを判定するようにしても良い。これにより、点滴の誤投与を防止することができる。
【００２２】
点滴実施記録入力部１５は、点滴が実施されたことを示す点滴実施記録を図示しないインターフェース（例えば、タッチパネルや操作キーなど）に操作によって入力する。ここで、医療従事者は、点滴を開始する直前のタイミングで点滴実施記録を点滴実施記録入力部１５に入力するようにしている。なお、医療従事者は、点滴を開始した直後のタイミングで点滴実施記録を点滴実施記録入力部１５に入力するようにしても良い。また、識別情報入力部１３が患者のリストバンド上のバーコードや点滴の袋に貼り付けられているバーコードを読み取った時点で、携帯情報端末用制御部１０は、点滴実施記録入力部１５に点滴実施記録を入力するようにしても良い。
【００２３】
そして、識別情報入力部１３が患者の手首に巻かれているリストバンド上のバーコードを読み取り、判定部１４が患者の一致を判断すると、携帯情報端末用制御部１０は、点滴開始信号を生成し、携帯情報端末用送受信部１１によって送信する。ここで、点滴開始信号には、患者の識別情報や実施患者情報が含まれている。
【００２４】
携帯情報端末用アクセスポイント２は、院内の各所に設置されており、近傍にあり電波の送受信が可能である携帯情報端末１との間で各種情報を送受信する。携帯情報端末用サーバシステム３は、携帯情報端末用アクセスポイント２と接続されており、携帯情報端末用アクセスポイント２が携帯情報端末１との間で送受信するための各種情報を記憶する。また、携帯情報端末用サーバシステムは、携帯情報端末１を使用している医療従事者の設定を行うためのものである。また、携帯情報端末用サーバシステムは、ナースコール親機４と接続されており、携帯情報端末用アクセスポイント２から受信した各種情報を送信している。
【００２５】
ナースコール親機４は、例えば、医療従事者が常駐するナースセンターなどに設置される。ナースコール親機４は、制御機や廊下灯などを介してナースコール子機に接続されており、ナースコール子機からの呼び出しを報知し、その呼び出しに応答する機能を持っているが、本発明では、主要な機能に該当しないため説明を省略する。
【００２６】
親機用制御部２０（特許請求の範囲の制御部に該当する）は、ナースコール親機４の各構成要素を後述するように制御する。親機用送受信部２１（特許請求の範囲の送信部に該当する）は、携帯情報端末１や携帯端末８との間で通話や各種情報の送受信を行う。具体的には、親機用送受信部２１は、オーダシステム５にて入力された情報（点滴情報、実施患者情報、点滴時間情報など）を受信し、それらの情報を携帯情報端末用サーバシステム３および携帯端末用アクセスポイント２を介して携帯情報端末１に送信する。また、親機用送受信部２１は、点滴開始信号や点滴実施記録入力部１５により入力された点滴実施記録情報、情報入力部１２に入力したその他の患者情報、点滴実施記録情報以外のその他の実施記録情報などを携帯情報端末用サーバシステム３および携帯端末用アクセスポイント２を介して携帯情報端末１から受信する。
【００２７】
また、親機用送受信部２１は、携帯端末８との間で携帯端末用主装置６および携帯端末用アクセスポイント７を介して通話音声の送受信を行う。また、親機用送受信部２１は、点滴が終了しそうであることを示す点滴終了信号を携帯端末用主装置６および携帯端末用アクセスポイント７を介して携帯端末８に送信する。
【００２８】
記憶部２２は、オーダシステム５にて入力された情報（点滴情報、実施患者情報、点滴時間情報など）や点滴実施記録情報、その他の患者情報、その他の実施記録情報などを記憶する。また、記憶部２２は、携帯情報端末１の識別情報と携帯情報端末１を携行する医療従事者の識別情報とを関連付けて記憶するとともに、携帯端末８の識別情報と携帯端末８を携行する医療従事者の識別情報とを関連付けて記憶する。また、記憶部２２は、実施患者情報および／または患者の識別情報と医療従事者の識別情報（記号や番号、医療従事者の氏名など）とを関連付けて記憶する。
【００２９】
タイマー２３は、時間を計測するためのものである。親機用送受信部２１が点滴開始信号を受信すると、親機用制御部２０は、タイマー２３を動作させる。そして、親機用制御部２０は、点滴時間情報により特定される点滴の時間に対して、その所定時間前の時間を設定する。例えば、点滴の時間が２時間である場合に、所定時間が５分であるときには、設定される時間は、１時間５５分となる。タイマー２３により計測された時間が１時間５５分になると、親機用制御部２０は、点滴が終了しそうであることを示す点滴終了信号を生成する。ここで、点滴終了信号には、患者の識別情報や実施患者情報が含まれている。
【００３０】
親機用制御部２０は、患者の識別情報や実施患者情報に関連付けて記憶部２２に記憶されている医療従事者の識別情報を抽出する。そして、親機用制御部２０は、抽出された医療従事者の識別情報に関連付けて記憶部２２に記憶されている携帯端末８の識別情報を抽出する。親機用制御部２０は、抽出した識別情報により特定される携帯端末８に対して親機用送受信部２１により点滴終了信号を送信する。
【００３１】
オーダシステム５は、ナースコール親機４に接続されており、主に医師によってオーダデータを入力するためのものである。ここで、オーダデータとは、検査内容や処方箋などの医師から医療従事者に対して伝達すべき情報のことである。また、オーダデータは、ナースコール親機４、携帯情報端末用サーバシステム３、携帯端末用アクセスポイント２を介して携帯情報端末１に送信される。
【００３２】
携帯端末用主装置６は、ナースコール親機４に接続されており、ナースコール親機４と携帯端末８とが通信を行うための装置である。携帯端末用アクセスポイント７は、携帯情報端末用アクセスポイント２と同様に院内の各所に設置されており、近傍にあり電波の送受信が可能である携帯端末８との間で通信を行う。
【００３３】
携帯端末８は、医療従事者により携行されており、ＰＨＳなどが用いられる。携帯端末用制御部３０は、携帯端末８の各構成要素を後述するように制御する。携帯端末用送受信部３１は、ナースコール親機４との間で携帯端末用主装置６および携帯端末用アクセスポイント７を介して通話音声の送受信を行う。また、携帯端末用送受信部３１は、点滴終了信号を携帯端末用主装置６および携帯端末用アクセスポイント７を介してナースコール親機４から受信する。
【００３４】
報知部３２は、点滴が終了しそうであることを報知するものであり、ＬＥＤなどの発光素子や液晶ディスプレイ、スピーカなどの音声出力装置、バイブレータなどの振動装置が主に使用される。なお、報知部３２が動作するのと同時に、図示しない液晶ディスプレイに点滴が終了しそうである患者の情報（例えば、患者の氏名や部屋番号など）を表示するようにしても良い。
【００３５】
操作部３３は、報知部３２の報知を停止するためのものであり、操作キーなどにより構成される。携帯端末用送受信部３１が点滴終了信号を受信すると、携帯端末用制御部３０は報知部３２を動作させる。医療従事者は、報知部３２の動作により点滴が終了しそうであることを把握し、操作部３３を操作して報知部３２の動作を停止する。
【００３６】
次に、本実施形態によるナースコールシステムの動作及び点滴終了報知方法を説明する。図３は、本実施形態によるナースコールシステムの動作及び点滴終了報知方法を示すフローチャートである。まず、ナースコール親機４では、親機用送受信部２１は、点滴情報、実施患者情報、点滴時間情報をオーダシステム５から受信し（ステップＳ１）、記憶部２２に記憶する。そして、親機用送受信部２１は、所定のタイミングで、点滴情報、実施患者情報、点滴時間情報を携帯情報端末用サーバシステム３を介して携帯情報端末１に送信する（Ｓ２）。
【００３７】
携帯情報端末１では、携帯情報端末用送受信部１１は、点滴情報、実施患者情報、点滴時間情報を携帯情報端末用サーバシステム３を介してナースコール親機４から受信する（ステップＳ３）。そして、携帯情報端末用制御部１０は、識別情報入力部１３により患者の識別情報が読み取られたか否かを調べる（ステップＳ４）。識別情報入力部１３により患者の識別情報が読み取られなかったと携帯情報端末用制御部１０にて判断した場合には（ステップＳ４にてＮＯ）、ステップＳ４の処理を繰り返す。
【００３８】
一方、識別情報入力部１３により患者の識別情報が読み取られたと携帯情報端末用制御部１０にて判断した場合には（ステップＳ４にてＹＥＳ）、携帯情報端末用制御部１０は、識別情報入力部１３により読み取った患者の識別情報によって特定される患者と実施患者情報によって特定される患者とが一致するか否かを調べる（ステップＳ５）。患者が一致しないと携帯情報端末用制御部１０にて判断した場合には（ステップＳ５にてＮＯ）、処理を終了する。このとき、医療従事者は、識別情報入力部１３による読み取りエラーや実施患者情報の入力エラーなどを考慮して、処理をやり直す。
【００３９】
一方、患者が一致したと携帯情報端末用制御部１０にて判断した場合には（ステップＳ５にてＹＥＳ）、携帯情報端末用制御部１０は、点滴開始信号を生成し、携帯情報端末用送受信部１１によってナースコール親機４へ送信する（ステップＳ６）。
【００４０】
ナースコール親機４では、親機用制御部２０は、親機用送受信部２１が点滴開始信号を受信したか否かを調べる（ステップＳ７）。親機用送受信部２１が点滴開始信号を受信していないと親機用制御部２０にて判断した場合には（ステップＳ７にてＮＯ）、ステップＳ７の処理を繰り返す。
【００４１】
一方、親機用送受信部２１が点滴開始信号を受信したと親機用制御部２０にて判断した場合には（ステップＳ７にてＹＥＳ）、親機用制御部２０は、タイマー２３を動作させる（ステップＳ８）。そして、親機用制御部２０は、タイマー２３にて計測した時間が前述した点滴終了時間になる所定時間前になったか否かを調べる（ステップＳ９）。タイマー２３にて計測した時間が点滴終了時間になる所定時間前になっていないと親機用制御部２０にて判断した場合には（ステップＳ９にてＮＯ）、ステップＳ９の処理を繰り返す。
【００４２】
一方、タイマー２３にて計測した時間が点滴終了時間になる所定時間前になっていると親機用制御部２０にて判断した場合には（ステップＳ８にてＹＥＳ）、親機用制御部２０は、点滴終了信号を生成し、携帯情報端末用送受信部１１によって該当する携帯端末８へ送信する（ステップＳ１０）。
【００４３】
携帯端末８では、携帯端末用制御部３０は、携帯端末用送受信部３１が点滴終了信号を受信したか否かを調べる（ステップＳ１１）。携帯端末用送受信部３１が点滴終了信号を受信していないと携帯端末用制御部３０にて判断した場合には（ステップＳ１１にてＮＯ）、ステップＳ１１の処理を繰り返す。一方、携帯端末用送受信部３１が点滴終了信号を受信したと携帯端末用制御部３０にて判断した場合には（ステップＳ１１にてＹＥＳ）、点滴が終了しそうであることを報知部３２を動作させて報知する（ステップＳ１２）。その後、携帯端末用制御部３０は、操作部３３の操作により報知部３２の動作を停止する。
【００４４】
以上詳しく説明したように、本実施形態によれば、患者に対して点滴を実施する際に、携帯情報端末１によって患者の識別情報を読み取った時点から、ナースコール親機４ではタイマー２３による計時を開始する。そして、ナースコール親機４は、点滴終了時間になる所定時間前に点滴が終了することを示す情報と点滴が実施された患者の情報とを含む点滴終了信号を生成して、患者の担当者や患者の認証を行った医療従事者が持つ携帯端末８に送信するようにしている。一方、携帯端末８は、点滴終了信号を受信すると、点滴が終了しそうであることを報知するようにしている。これにより、ある患者に対して点滴を実施する際に、その患者が点滴を行うべき患者であるかどうかを確認するための患者の認証を行った時刻が点滴開始時刻とされるので、オーダデータから抽出された点滴開始時刻と比較して実際の点滴開始時刻とのずれが少なくなり、より正確に点滴終了時刻を導くことができるようになる。従って、医療従事者が点滴の実施により拘束される時間を短縮することができ、医療従事者の業務効率を向上させることができる。
【００４５】
なお、前述した実施形態では、識別情報入力部１３が患者の識別情報を読み取った時点でナースコール親機４のタイマー２３の計時を開始するようにしているが、これに限定されない。例えば、点滴実施記録入力部１５が点滴実施記録を入力した時点でナースコール親機２３のタイマー２３の計時を開始するようにしても良い。これにより、患者に対して点滴を実施したことを示す点滴実施記録が入力された時刻が点滴開始時刻とされる。この点滴実施記録の入力は、患者の認証の実施後に行われることが多いため、実際の点滴開始時刻とのずれをより少なくすることができる。
【００４６】
また、前述した実施形態では、識別情報入力部１３が患者の識別情報を読み取った時点でナースコール親機４のタイマー２３の計時を開始するようにしているが、これに限定されない。例えば、点滴実施記録入力部１５による点滴実施記録の入力が点滴の実施開始後である場合に、識別情報入力部１３が患者の識別情報を読み取った時点と点滴実施記録が入力された時点との間の時点からナースコール親機４のタイマー２３による計時を開始するようにしても良い。
【００４７】
具体的には、図４に示すように、ナースコール親機４に補助タイマー２４を設ける。ここで、補助タイマー２４は、点滴の終了時間になるまでの所定時間を調整するための時間を計測するためのものである。親機用制御部２０は、識別情報入力部１３により患者の識別情報が読み取られた時に補助タイマー２４による計時を開始し、実際に点滴が実施された後に点滴実施記録入力部１５によって点滴実施記録情報が入力された時に補助タイマー２４が計時した時間の略半分の時間だけ記憶部２２に記憶されている所定時間情報を早めに設定する。これにより、実際に点滴が開始される前に実施される患者の認証と、実際に点滴が開始された後に実施される点滴実施記録の入力との間の時刻が点滴開始時刻となるので、実際の点滴開始時刻とのずれを更に少なくすることができる。
【００４８】
また、前述した実施形態では、携帯情報端末１と携帯端末８とを別体としているが、一体としても良い。
【００４９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５０】
本発明は、病院などで患者が医療従事者を呼び出すナースコールシステムに有用である。
【図面の簡単な説明】
【００５１】
【図１】本実施形態によるナースコールシステムを含む院内システムの構成例を示す図である。
【図２】本実施形態によるナースコールシステムの主要な構成を示すブロック図である。
【図３】本実施形態によるナースコールシステムの動作および点滴終了報知方法を示すフローチャートである。
【図４】本実施形態によるナースコールシステムの主要な構成の変形例を示すブロック図である。
【符号の説明】
【００５２】
１    携帯情報端末
２    携帯情報端末用アクセスポイント
３    携帯情報端末用サーバシステム
４    ナースコール親機
５    オーダシステム
６    携帯端末用主装置
７    携帯端末用アクセスポイント
８    携帯端末
１０    携帯情報端末用制御部
１１    携帯情報端末用送受信部
１２    情報入力部
１３    識別情報入力部
１４    判定部
１５    点滴実施記録入力部
２０    親機用制御部
２１    親機用送受信部
２２    記憶部
２３    タイマー
３０    携帯端末用制御部
３１    携帯端末用送受信部
３２    報知部
３３    操作部
【図１】
2009131379.tif 000003
【図２】
2009131379.tif 000004
【図３】
2009131379.tif 000005
【図４】
2009131379.tif 000006